(57)【要約】【課題】暗所下でも点眼薬の滴下位置を定め、上手く点眼できる点眼薬容器を提供する。【解決手段】内容物（５）を内封する容器（１）であって、容器（１）の少なくとも一部に、蛍光または燐光を発する物質を練り込んだ樹脂またはその類似物質からなる部品（３）を含む自発光樹脂部品付き液体内封容器とする。部品（３）は、霧状を含む液体を吐出する部分またはその近傍の部分に設けられていることが好ましい。このようにすると、暗い環境においても吐出する部分が視認できる。部品（３）の自発光光色は、液体の種類・目的の違いに応じて異ならせても良い。またキャップ（４）がある場合は、全部または一部が透光性を有することが好ましい。【選択図】　図１
2004141235.tif 000002
【特許請求の範囲】
【請求項１】
内容物を内封する容器であって、前記容器の少なくとも一部に、蛍光または燐光を発する物質を練り込んだ樹脂またはその類似物質からなる部品を含むことを特徴とする自発光樹脂部品付き容器。
【請求項２】
前記部品が、少なくとも、霧状を含む液体を吐出する部分またはその近傍の部分に設けられている請求項１に記載の自発光樹脂部品付き容器。
【請求項３】
前記部品の自発光光色が、液体の種類・目的の違いに応じて異なる請求項１または２に記載の自発光樹脂部品付き容器。
【請求項４】
前記吐出する部分をキャッピングするキャップの、全部または一部が透光性を有する請求項２または３に記載の自発光樹脂部品付き容器。
【発明の詳細な説明】
【０００１】
【発明の属する技術分野】
本発明は、自発光樹脂部品付き容器に関する。さらに詳しくは、例えば液滴ないしは噴霧状態で液状薬剤を吐出し、かつその液状薬剤を保管する液体内封容器、とくには点眼薬容器に関する。
【０００２】
【従来の技術】
従来の点眼薬容器は、プラスチック容器と、その中の液状薬剤を滴下させる、やはりプラスチックからなる吐出部で構成されていた。その中でも、点眼を正確に行う目的のために安定器具あるいは補助装置と称して、それを容器本体と組み合わせて点眼時に用いることが提案されている（例えば特許文献１および特許文献２参照）。
【０００３】
また、特定の蓄光性蛍光体、および前記蓄光性蛍光体を混合したシートが提案されている（例えば特許文献３および特許文献４参照）。
【０００４】
【特許文献１】
特開平０８−０７１１２５号公報
【特許文献２】
特開平０８−０８９５５７号公報
【特許文献３】
特許第２５４３８２５号
【特許文献４】
特開平０８−１２９３５１号公報
【０００５】
【発明が解決しようとする課題】
しかし、こうした点眼薬はあらゆる状況下でも使用できることが期待されるが、真夜中など照明照度が不足する中で、しかも簡便な作業が望まれる状況下での使用の場合には、プラスチックからなる吐出部が視認できず点眼薬の滴下位置が定まらず、そのために、上手く点眼できないという問題があり、このような問題を解決することが要求されている。
【０００６】
本発明は、例えば暗所下でも点眼薬の滴下位置を定め、上手く点眼できる点眼薬容器を提供することを目的とする。
【０００７】
【課題を解決するための手段】
前記目的を達成するため、本発明の自発光樹脂部品付き液体内封容器は、内容物を内封する容器であって、前記容器の少なくとも一部に、蛍光または燐光を発する物質を練り込んだ樹脂またはその類似物質からなる部品を含むことを特徴とする。前記において、「内容物を内封する」とは、現実に液体等の内容物を内封していても良いし、内容物を内封するための容器自体であっても良い。また、「その類似物質」とは、例えば接着剤や接着テープ等をいう。また、蛍光または燐光を発する物質それ自体は、公知のものを任意に選択して使用できる。
【０００８】
前記部品は、少なくとも、霧状を含む液体を吐出する部分またはその近傍の部分に設けられていることが好ましい。暗い環境においても吐出する部分が視認できるからである。
【０００９】
前記部品の自発光光色は、液体の種類・目的の違いに応じて異ならせてもよい。
【００１０】
前記吐出する部分をキャッピングするキャップの、全部または一部が透光性を有することが好ましい。キャップ付き容器の場合は、キャップが透明であればキャップを通して自発光部の蛍光または燐光を発する物質を外光で励起することが容易になり、かつ視認しやすいからである。
【００１１】
本発明によれば、暗所下で、例えば点眼薬の滴下位置が吐出部の自発光によって確認でき、点眼薬を上手く点眼できるようになる。
【００１２】
【発明の実施の形態】
図１に示す本発明の一実施形態である自発光樹脂部品付き液体内封容器は、液状点眼薬を内封したプラスチックからなる容器本体１の一箇所に、液状点眼薬を滴下する吐出部２（材質はポリエチレンテレフタレート）が設けられ、かつその吐出部２の周り近傍に燐光を発する物質３（組成はＳｒＡｌ２Ｏ４：Ｅｕ，Ｄｙ、黄緑色に発光）を、樹脂に対して約１０重量％（好適には５〜１０重量％）練り込んだプラスチックシート片が粘着されている。また、吐出部２をキャッピングするキャップ４は透光性を有している。
【００１３】
一方、比較のため、本実施形態の自発光樹脂部品付き液体内封容器と同様の構造を有するが、燐光を発する物質を練り込んだ樹脂が密着されていないことのみが異なる従来からの液体内封容器を用意した。
【００１４】
本実施形態の自発光樹脂部品付き液体内封容器および比較品の液体内封容器について、照明照度が０．５ｌｘ（ルクス）の視環境下、成人男女合計４人を被験者として仰臥の状態で点眼薬の点眼試験（各試験の点眼回数は各人両眼各１０回合計２０回）を行ったところ、下記の結果（点眼成功確率）を得た。
【００１５】
【表１】
2004141235.tif 000003
【００１６】
表１から明らかなように、吐出部近傍が自発光して点眼位置を確認できる本実施形態で、点眼成功率は顕著に向上した。
【００１７】
本実施形態では、自発光物質３を練り込んだプラスチックシート片を粘着して用いたが、それに代えて、自発光物質３を練り込んだプラスチックの小塊を吐出部２の近傍に融着しても良いし、その小塊が吐出部２そのものを構成しても良い。
【００１８】
本実施形態では、自発光樹脂部品付き液体内封容器が点眼薬容器である場合（発光色は紫青色）について説明したが、本発明はこの発光色に限定されない。また、この点眼薬容器が他の目的（のどスプレー、皮膚病滴下薬など）の容器に置き換えられて使用されてもよい。その場合には、使用目的に応じて、自発光光色を違えることによって、暗所使用時における誤使用防止に対する注意を喚起することが好ましい。
【００１９】
本実施形態では、自発光樹脂部品付き液体内封容器の自発光物質に燐光物質（組成はＳｒＡｌ２Ｏ４：Ｅｕ，Ｄｙ、黄緑色に発光）を採用して、未使用時に明所に放置された容器本体１の、自発光部３の燐光物質が昼間の太陽間接光や人工光で効率良く励起されるように、キャップ４は透光性を有するようにした。昼間の点眼作業もあり得る（その間に燐光物質は励起される）ことを想定すれば、キャップ４の透光性は必須条件ではないが、キャップ４を被せたときに自発光部３に合わさる部分のキャップ４が透光性を有することは好ましい。また、この燐光物質を用いた液体内封容器の自発光部３は８時間暗所に放置されても視認可能な発光を持続できた。したがって、本来冷暗所に保管されるべき点眼薬ではあるが、実用上、自発光部３が視認できなくなることはない。
【００２０】
別の実施形態として、自発光物質とともに別の励起源物質を樹脂に練り込んでおく場合には、自発光物質として、燐光物質に代え蛍光物質を採用することも可能である。
【００２１】
以上説明したように、本実施形態の自発光樹脂部品付き液体内封容器を使用すれば、暗所下での滴下薬剤投下の成功確率が大幅に上昇するという優れた効果を有する液体内封容器を得ることができる。
【００２２】
【発明の効果】
以上のように、本発明は、滴下液状薬剤の滴下位置が吐出部の自発光によって確認できるため、真夜中の点眼作業などで、眩しさを避け、かつ他の人の迷惑にならない範囲で、問題なく点眼することができるという優れた効果を発揮する自発光樹脂部品付き液体内封容器を提供することができる。
【図面の簡単な説明】
【図１】本発明の一実施の形態である自発光樹脂部品付き液体内封容器の斜視図。
【符号の説明】
１　容器本体
２　吐出部
３　自発光部
４　キャップ
５　液状薬剤
【図１】
2004141235.tif 000004